(57)【要約】【課題】利用者の利用目的に応じた作業用ボックスを予約できるようにすること。【解決手段】作業用ボックスを利用する人数、日時、作業用ボックスの設置エリアのうち少なくとも１つを含む基本情報と、作業用ボックスの利用目的に関する目的情報と、を入力する入力手段と、入力された基本情報と目的情報に適合する作業用ボックスを探すように演算する演算手段と、演算手段による演算により見つけ出された作業用ボックスから、作業用ボックスを選択して予約するために用いられる予約手段と、を備えた作業用ボックスの予約システムとする。【選択図】図１
2020144683.tif 000002
【特許請求の範囲】
【請求項１】
作業用ボックスを利用する人数、日時、作業用ボックスの設置エリアのうち少なくとも１つを含む基本情報と、作業用ボックスの利用目的に関する目的情報と、を入力する入力手段と、
入力された基本情報と目的情報に適合する作業用ボックスを探すように演算する演算手段と、
演算手段による演算により見つけ出された作業用ボックスから、作業用ボックスを選択して予約するために用いられる予約手段と、
を備えた作業用ボックスの予約システム。
【請求項２】
演算手段は、
入力された基本情報と目的情報に適合する作業用ボックスを
第一の作業用ボックスと、第一の作業用ボックスとは少なくともボックス内に収容できる人数又はボックス内の設備を含むボックス性能が異なる第二の作業用ボックスを含む作業用ボックス群から探すように演算可能である請求項１に記載の作業用ボックスの予約システム。
【請求項３】
演算手段は、
基本情報と目的情報に加え、作業用ボックスの利用状況を加味して適合する作業用ボックスを探すように演算可能である請求項１又は２に記載の作業用ボックスの予約システム。
【請求項４】
作業用ボックス内で利用するサービスを目的情報として入力した場合、演算手段にて、入力されたサービスの利用状況の情報と、基本情報を用いて、利用可能日時を演算可能であり、
前記演算手段は、利用可能日時を加味して適合する作業用ボックスを探すように演算可能であり、
予約手段は、演算手段による演算により見つけ出された作業用ボックスの中から選択された作業用ボックス及びサービスを予約することが可能である請求項１から３の何れかに記載の作業用ボックスの予約システム。
【発明の詳細な説明】
【技術分野】
【０００１】
本発明は、作業用ボックスの予約システムに関するものである。
【背景技術】
【０００２】
特許文献１に記載されているように、ホテルの宿泊予約などをインターネット上でおこなうことができる予約システムは知られている。このような予約システムは、宿泊日、泊数、人数などの情報から、利用できる部屋を抽出するものである。
【先行技術文献】
【特許文献】
【０００３】
【特許文献１】特開２００６−２０２００８号公報
【０００４】
しかし、このようなシステムは、利用目的が宿泊に限られているため、さまざまな目的を有した利用者に柔軟に対応する予約システムとはなっていない。一方、作業用ボックスは利用目的が広範囲にわたるが、その仕様は必ずしも一律ではなく、各々の利用目的に適合するものであるか否かは分かりにくかった。
【発明の概要】
【発明が解決しようとする課題】
【０００５】
本件の発明者は、この点について鋭意検討することにより、解決を試みた。本発明が解決しようとする課題は、利用者の利用目的に応じた作業用ボックスを予約できるようにすることである。
【課題を解決するための手段】
【０００６】
上記課題を解決するため、作業用ボックスを利用する人数、日時、作業用ボックスの設置エリアのうち少なくとも１つを含む基本情報と、作業用ボックスの利用目的に関する目的情報と、を入力する入力手段と、入力された基本情報と目的情報に適合する作業用ボックスを探すように演算する演算手段と、演算手段による演算により見つけ出された作業用ボックスから、作業用ボックスを選択して予約するために用いられる予約手段と、を備えた作業用ボックスの予約システムとする。
【０００７】
また、演算手段は、入力された基本情報と目的情報に適合する作業用ボックスを第一の作業用ボックスと、第一の作業用ボックスとは少なくともボックス内に収容できる人数又はボックス内の設備を含むボックス性能が異なる第二の作業用ボックスを含む作業用ボックス群から探すように演算可能である構成とすることが好ましい。
【０００８】
また、演算手段は、基本情報と目的情報に加え、作業用ボックスの利用状況を加味して適合する作業用ボックスを探すように演算可能である構成とすることが好ましい。
【０００９】
また、作業用ボックス内で利用するサービスを目的情報として入力した場合、演算手段にて、入力されたサービスの利用状況の情報と、基本情報を用いて、利用可能日時を演算可能であり、前記演算手段は、利用可能日時を加味して適合する作業用ボックスを探すように演算可能であり、予約手段は、演算手段による演算により見つけ出された作業用ボックスの中から選択された作業用ボックス及びサービスを予約することが可能である構成とすることが好ましい。
【発明の効果】
【００１０】
本発明では、利用者の利用目的に応じた作業用ボックスを予約できるようにすることが可能となる。
【図面の簡単な説明】
【００１１】
【図１】作業用ボックスを予約するフローの例を表す図である。
【図２】入力画面例の図である。
【図３】図２に示した画面例に基本情報と目的情報を入力した例を表した図である。
【図４】図３に示した情報の入力を基にした演算により見つけ出された作業用ボックスの情報を表示した画面例の図である。
【図５】図４に示された作業用ボックスのうち、Ｃ−１の作業用ボックスの詳細な情報を表示できるようにした画面例の図である。
【図６】図２に示した画面例に対して、△△駅付近であることと、ワークスペースとして使用することを入力した状態を表した図である。
【図７】図６に示した情報の入力を基にした演算により見つけ出された作業用ボックスの情報を表示した画面例の図である。
【図８】図７に示された作業用ボックスのうち、Ｇの作業用ボックスの詳細な情報を表示できるようにした画面例の図である。
【図９】図２に示した画面例に対して、現在地入力がなされ、お勧めの作業用ボックスの情報が表示された画面例の図である。
【図１０】作業用ボックスの予約システムの利用者とボックス管理者とオンライン学習提供者の関係を示した図である。
【図１１】図２に示した画面例にオンライン利用することを入力した状態を表した図である。
【図１２】図１１に示した情報の入力を基にした演算により見つけ出された作業用ボックスとオンライン学習が可能なスケジュールの情報を表示した画面例の図である。
【図１３】利用目的に必要な機器を入力した例を表した図である。
【発明を実施するための形態】
【００１２】
以下に発明を実施するための形態を示す。本実施形態の作業用ボックスの予約システムは、作業用ボックスを利用する人数、日時、作業用ボックスの設置エリアのうち少なくとも１つを含む基本情報と、作業用ボックスの利用目的に関する目的情報と、を入力する入力手段と、入力された基本情報と目的情報に適合する作業用ボックスを探すように演算する演算手段と、演算手段による演算により見つけ出された作業用ボックスから、作業用ボックスを選択して予約するために用いられる予約手段と、を備えている。このため、利用者の利用目的に応じた作業用ボックスを予約できるようにすることが可能となる。
【００１３】
ここで、作業用ボックスについて、説明する。作業用ボックスは、駅、空港、オフィス、飲食店などの屋内空間若しくは、公園などの屋外空間に設置され、プライベートな空間を確保することのできるボックスである。
【００１４】
作業用ボックスは、読書、飲食、休息、オフラインでの学習や楽器の練習などの個人のプライベートな目的で使用される場合があるが、仕事場所として使用したり、複数人での打合せをしたり、ＷＥＢ会議をするなどのテレワークを目的として使用される場合、オンラインサービスを活用した語学教室や学習塾、音楽教室など、オンライン学習を目的として使用される場合など、さまざまな目的で使用される。
【００１５】
作業用ボックスは、内部にプライベートな作業空間を備えたボックスであり、作業を行うための机や椅子や、照明機器、災害対策・防犯対策機器などは基本的に備えている。それ以外にも、目的に応じて、作業用ボックス内の音を外に漏らさないための防音機能、オンラインサービスを利用するための通信機器、ＷＥＢ会議システムやオンライン学習のためのＡＶ機器、快適な温度環境を提供するための空調機器などのさまざまな機能や機器を設けることができる。このような、さまざまな機能を全て備えた高機能な作業用ボックスを提供することが好ましいが、利用目的に特化するように機能や機器を設けることで、作業用ボックスの製造コストなどを下げることができる。
【００１６】
作業用ボックスは、単体で屋内空間や屋外空間のさまざまな空間に設置することができ、設置場所にあわせて、設ける機能や機器を異なるものとすることができる。また、建物の一室など、屋内の仕切られた空間に、複数の作業用ボックスを設置することもできる。この場合、それぞれの作業用ボックスの機能や機器を異なるものとしてもよい。また、機能や機器を異なるものとするだけでなく、作業用ボックスの大きさを異なるものとすることで、複数人が利用する場合に対応できるようにしても良い。
【００１７】
屋内の仕切られた空間に複数の作業用ボックスを設置する場合には、それぞれの作業用ボックスの照明機器や空調機器などを建物の部屋に設けられたものと共通のものにしてもよい。例えば、作業用ボックスの天井をなくすことで、建物の部屋に設けられた照明機器や空調機器を利用してもよい。また、複数の作業用ボックスで空調機器を共通化してもよい。
【００１８】
ところで、作業用ボックスは、さまざまな人がさまざまな目的で利用するため、利用する際は、予約することが好ましい。そこで、本発明では、作業用ボックスの利用システムを提供する。なお、本実施形態においては、演算手段は、入力された基本情報と目的情報に適合する作業用ボックスを第一の作業用ボックスと、第一の作業用ボックスとは少なくともボックス内に収容できる人数又はボックス内の設備を含むボックス性能が異なる第二の作業用ボックスを含む作業用ボックス群から探すように演算することができる。つまり、少なくともボックス内に収容できる人数又はボックス内の設備を含むボックス性能が異なる複数の作業用ボックスの中から適合する作業用ボックスを探すように演算することができるため、利用目的に応じた作業用ボックスをデータベースで管理することにより、利用者の要望に柔軟に対応し、利用目的に応じた作業用ボックスの予約を可能とする。
【００１９】
実施形態では、作業用ボックスを利用するにあたり、利用日時・利用人数・利用者の現在地情報などの利用者に関する情報や、利用したい作業用ボックスの設置場所・必要な作業用ボックスの機能などの作業用ボックスに関する情報などの基本情報を入力したり選択したりすることができる。さらに、打合せ、ＷＥＢ会議、オンライン学習などの作業用ボックスの利用目的を入力したり選択したりすることができる。
【００２０】
図１に示すことから理解されるように、入力や選択がなされた基本情報と利用目的によって、さまざまな機能・機器を備えた作業用ボックスから適合するものが演算を用いて探される。適合する作業用ボックスは画面などに表示される。このシステムの利用者は、その後、表示されたものの中から、予約する作業用ボックスを選択し予約すればよい。
【００２１】
ここで、個人のプライベートな目的で使用する場合を例に挙げて説明する。読書、飲食、オフラインでの学習を行うこと利用目的とする場合、作業用の机・椅子、照明機器、作業用ボックス外部からの音を防ぐ防音機能などが求められ、少なくともそれらの機能を備えた作業用ボックスが抽出される。オフラインでの歌の練習や、楽器の練習などを行うことを利用目的とする場合には、照明機器、音色の録音や演奏の様子を録画したり、確認するためのＡＶ機器、作業用ボックス外部に音が漏れることを防ぐ防音機能などが求められ、少なくともそれらの機能を備えた作業用ボックスが抽出される。
【００２２】
図２及び図３に示すことから理解されるように、利用人数として１以上が入力される。複数人で作業用ボックスを利用する場合には、複数人の利用を可能とする大きさの作業用ボックスが抽出される。例えば、図３に示すように、入力画面に利用日時、利用人数、ボックス設置エリアなどの基本情報を入力し、利用目的として、学習を選択する。すると、図４に示すように、入力したボックス設置エリア（○○ビル）におけるボックスのレイアウト図が表示される。実施形態では、このとき、利用日時における利用状況や予約状況が表示されるため、利用／予約可能なボックスを容易に判断できる。例えば、図４に示す例では、利用や予約がなされているボックスは、見分けがつくよう、レイアウト図において色分けされている。なお、演算手段は、基本情報と目的情報に加え、作業用ボックスの利用状況を加味して適合する作業用ボックスを探すように演算するものとすることが好ましい。
【００２３】
その後、レイアウト図から利用／予約したいボックスを選択する。すると、選択したボックス内のレイアウト図やサイズ、備品、機能などの特徴が表示される。この表示は、ボックス毎にデータベースに記憶されているため、選択したレイアウト図に則したボックスの特徴が表示される。図５に示す例では、ボックス（Ｃ-１）が選択されたため、レイアウト図におけるボックス外郭が太線で表示されている。このとき、選択したボックスを利用した場合の費用も表示されることが好ましい。利用者は表示されたボックスを利用／予約する場合は、予約ボタンを押すことで、ボックスの予約を完了させることができる。
【００２４】
次に、テレワークを目的として使用する場合について説明する。テレワークを目的とする場合、作業用ボックスでの作業の様子が外部に漏洩することを防ぐセキュリティ機能が求められる。その上で、仕事場所として使用することを利用目的とする場合、つまり、電話をしたり、ＰＣを利用した作業などを目的とする場合には、作業用の机・椅子、照明機器、コンセントなどの電源供給機器、作業ボックス内の音が外に漏れることを防ぐ防音機能、作業用ボックス外部と通信を行うための通信機能などが求められる。
【００２５】
複数人で打合せを行うことを目的とする場合には、複数人の利用を可能とする大きさの作業用ボックスが抽出される。例えば、図６に示すように、入力画面に利用日時、利用人数、ボックス設置エリアなどの基本情報を入力し、利用目的として、ワークスペースを選択する。ボックス設置エリアとして、△△駅を入力したため、演算により、△△駅周辺に設置される作業用ボックスが探される。演算終了後、図７に示すように、△△駅周辺の地図が表示され、利用日時における利用状況／予約状況が表示される。
【００２６】
その後、周辺地図から利用／予約したいボックスを選択する。すると、図８に示すように、選択したボックスの設置場所、そこまでの所要時間、サイズ、備品、機能などの特徴が表示される。
【００２７】
また、入力時に利用者の現在地情報を入力若しくはＧＰＳから取得すると、周辺地図に現在地の情報が表示されるようにしても良い。また、図９に示すことから理解されるように、現在地の最寄りのボックスや、周辺地域における最安値のボックスなど、お勧めのボックスを表示し、利用者が簡単にボックスを選択することができるようにしてもよい。
【００２８】
次に、オンライン学習を目的として使用する場合について説明する。図１０に示すことから理解されるように、英会話教室や音楽教室、学習塾など、オンライン学習を目的として作業用ボックスを利用することが考えられる。オンライン学習の場合、作業用ボックスの利用者と教師とを結ぶ通信機器やＡＶ機器、ＰＣなどＷＥＢ設備が完備された作業用ボックスが求められる。
【００２９】
例えば、図１１に示すように、入力画面に利用日時、利用人数、ボックス設置エリアなどの基本情報と、利用目的として、英会話教室を選択する。英会話教室などのオンライン学習では、教師側のスケジュールを加味する必要があるが、基本情報及び利用目的を入力することによって、英会話教室若しくは教師のスケジュールを確認することができるようになる。
【００３０】
オンライン学習用のスケジュール管理システムと作業用ボックスの予約システムとを連携させることによって、図１２に示すことから理解されるように、予約システム上でオンライン学習機関のスケジュールを把握することができる。その後、英会話教室のスケジュールを確認しながら、利用／予約したい時間を選択すればよい。実施形態では、ボックス設置エリアにおける作業用ボックスのレイアウトが表示され、ボックスを選択するとその特徴が表示される。また、実施形態では、作業用ボックスの利用料金と、英会話教室のレッスン料を合わせて若しくは別々に表示できるようにし、予約ボタンを押すことで、作業用ボックスと英会話教室の両方を予約することができる。したがって、オンライン学習と、学習スペースを別々に予約する手間を省くことができる。
【００３１】
なお、このようなことはオンラインサービスに対して行うものである必要は無く、直接提供を受けるオフラインサービスに対して行うものであっても良い。例えば、英会話や学習塾などの学習サービスの場合には、教師と生徒がともに作業用ボックス内に入室し、学習することが考えられる。
【００３２】
このようなことを可能とするため、実施形態では、作業用ボックス内で利用するサービスを目的情報として入力した場合、演算手段にて、入力されたサービスの利用状況の情報と、基本情報を用いて、利用可能日時を演算可能である。また、演算手段は、利用可能日時を加味して適合する作業用ボックスを探すように演算可能である。更には、予約手段は、演算手段による演算により見つけ出された作業用ボックスの中から選択された作業用ボックス及びサービスを予約することが可能であるように構成されている。
【００３３】
上記した例では、利用目的は、入力画面において表示された項目から選択するようにしているが、別途必要な設備については、直接入力できるようにしてもよい。例えば、実施形態では、オフラインで学習する際、図１３に示すように、音声学習に用いるオーディオ機器を必要設備欄に入力すれば、演算手段は、オーディオ機器を備えた作業用ボックスを演算し、抽出する。つまり、必要設備欄に入力があった場合には、基本情報・利用目的に加え、必要設備欄の入力を元に適合する作業用ボックスを抽出する。
【００３４】
なお、利用者は予約システムを使用する際に、ユーザー登録をすることが好ましい。ユーザー登録の際に、メールアドレスを登録することで、予約システムにて予約が完了した後に、予約完了情報や、利用日時が近づいたことを知らせる情報を届けることができる。また、作業用ボックスを利用するときに必要な情報（ボックスの扉を開錠するためのパスワードなど）を送るためにも利用することができる。また、クレジットカード情報を登録することで、予約システムでの予約と料金支払いを同時に行なうこともできる。
【００３５】
以上、実施形態を例に挙げて本発明について説明してきたが、本発明は上記実施形態に限定されることはなく、各種の態様とすることが可能である。例えば、基本情報・利用目的の入力や選択方法は、実施形態で説明した例に限定しない。基本情報や利用目的の入力項目数や選択項目数についても、実施形態で説明した例に限定せず、基本情報は作業用ボックスの利用日時・利用人数・ボックス設置エリアの少なくとも１つを含むものであればよい。
【００３６】
実施形態では、作業用ボックスとオンライン学習の予約を同時に行えることを説明したが、オンライン学習に限らず、他者と共同で作業用ボックスを利用する場合に、例えば、飲食宅配サービスのように利用する作業用ボックスに飲食物を宅配してもらうために、作業用ボックスの予約と飲食宅配サービスの予約を同時に行えるようにしてもよい。
【図１】
2020144683.tif 000003
【図２】
2020144683.tif 000004
【図３】
2020144683.tif 000005
【図４】
2020144683.tif 000006
【図５】
2020144683.tif 000007
【図６】
2020144683.tif 000008
【図７】
2020144683.tif 000009
【図８】
2020144683.tif 000010
【図９】
2020144683.tif 000011
【図１０】
2020144683.tif 000012
【図１１】
2020144683.tif 000013
【図１２】
2020144683.tif 000014
【図１３】
2020144683.tif 000015